(57)【要約】      （修正有）【課題】設置状態においてインターホン機器の壁面からの突出量を抑えることができるインターホン機器の設置構造を提供する。【解決手段】固定枠１２に、複数の係止孔１５や複数の係止片１６を備えた板状のケース取付部１４を、中央の開口を左右方向で横切るように、左側辺部と右側辺部とにわたって架設した。また、ケース取付部１４に、固定枠１２の左右両側辺部から夫々左右方向で内側へ延びる連結部１４ａ、１４ａと、連結部１４ａ、１４ａよりも左右方向で内側に、且つ、前後方向で後側に設けられた夫々左右方向へ延びる左右一対の取付部１４ｃ、１４ｃと、前方へ曲げ起こされてなり、各連結部１４ａと取付部１４ｃとを繋ぐ第１の補強部１４ｂ、１４ｂと、左右の取付部１４ｃ、１４ｃを連結する第２の補強部１４ｄとを設けた。【選択図】図２
2020161891.tif 000002
【特許請求の範囲】
【請求項１】
前面に開口する方体箱状の取付ボックスと、前記取付ボックスの開口側に取り付けられる矩形フレーム状の固定枠とを有し、壁に埋設された前記取付ボックスと一体化され、自身の外周部が壁の表面に当接している前記固定枠に対してインターホン機器が固定されることで、前記インターホン機器を壁面に設置可能としたインターホン機器の設置構造であって、
前記固定枠の左側の辺部と右側の辺部とにわたり、前記インターホン機器の本体ケースを固定するための固定部を備えた板状のケース取付部が設けられているとともに、
前記ケース取付部が、両前記辺部よりも左右方向で内側に、且つ、前後方向で後側に設けられた夫々左右方向へ延びる左右一対の取付部と、前方へ曲げ起こされてなり、各前記取付部と近い側の前記辺部とを繋ぐ第１の補強部と、各前記取付部から後側へ凹む凹状に折り曲げて成形され、前記取付部同士を連結する第２の補強部とを有しており、
前記インターホン機器が、前記本体ケースの左右両側縁部の後面を両前記取付部の前面に当接させた状態で、両前記第１の補強部間において前記固定枠に対し固定可能であることを特徴とするインターホン機器の設置構造。
【請求項２】
前面に開口する方体箱状の取付ボックスと、前記取付ボックスの開口側に取り付けられる矩形フレーム状の固定枠とを有し、壁に埋設された前記取付ボックスと一体化され、自身の外周部が壁の表面に当接している前記固定枠に対してインターホン機器が固定されることで、前記インターホン機器を壁面に設置可能としたインターホン機器の設置構造であって、
前記固定枠の上側の辺部と下側の辺部とにわたり、前記インターホン機器の本体ケースを固定するための固定部を備えた板状のケース取付部が設けられているとともに、
前記ケース取付部が、両前記辺部よりも上下方向で内側に、且つ、前後方向で後側に設けられた夫々上下方向へ延びる上下一対の取付部と、前方へ曲げ起こされてなり、各前記取付部と近い側の前記辺部とを繋ぐ第１の補強部と、各前記取付部から後側へ凹む凹状に折り曲げて成形され、前記取付部同士を連結する第２の補強部とを有しており、
前記インターホン機器が、前記本体ケースの上下両縁部の後面を両前記取付部の前面に当接させた状態で、両前記第１の補強部間において前記固定枠に対し固定可能であることを特徴とするインターホン機器の設置構造。
【発明の詳細な説明】
【技術分野】
【０００１】
本発明は、たとえば集合玄関機等のインターホン機器を壁面に設置するための設置構造に関するものである。
【背景技術】
【０００２】
従来、たとえば集合住宅の玄関に設置される集合玄関機等のインターホン機器は、壁に設置凹部を設けるとともに設置凹部内に取付ボックスを埋設し、該取付ボックスにインターホン機器を固定することによって、インターホン機器における本体ケース外周縁部の後面と壁面とが略面一となる状態で、壁面に設置されていた。
【先行技術文献】
【特許文献】
【０００３】
【特許文献１】特開２０１４−６８２３７号公報
【発明の概要】
【発明が解決しようとする課題】
【０００４】
近年、見栄えが良いという理由から、インターホン機器の壁面への設置状態において、本体ケースの壁面からの突出量を抑えることが望まれている。しかしながら、本体ケースの薄型化には限界があり、上述したように本体ケース外周縁部の後面と壁面とを略面一としていたのでは、望まれているような突出量にできないという問題があった。
【０００５】
そこで、本発明は、上記問題に鑑みなされたものであって、設置状態においてインターホン機器の壁面からの突出量を抑えることができるインターホン機器の設置構造を提供しようとするものである。
【課題を解決するための手段】
【０００６】
上記目的を達成するために、本発明のうち請求項１に記載の発明は、前面に開口する方体箱状の取付ボックスと、取付ボックスの開口側に取り付けられる矩形フレーム状の固定枠とを有し、壁に埋設された取付ボックスと一体化され、自身の外周部が壁の表面に当接している固定枠に対してインターホン機器が固定されることで、インターホン機器を壁面に設置可能としたインターホン機器の設置構造であって、固定枠の左側の辺部と右側の辺部とにわたり、インターホン機器の本体ケースを固定するための固定部を備えた板状のケース取付部が設けられているとともに、ケース取付部が、両辺部よりも左右方向で内側に、且つ、前後方向で後側に設けられた夫々左右方向へ延びる左右一対の取付部と、前方へ曲げ起こされてなり、各取付部と近い側の辺部とを繋ぐ第１の補強部と、各取付部から後側へ凹む凹状に折り曲げて成形され、取付部同士を連結する第２の補強部とを有しており、インターホン機器が、本体ケースの左右両側縁部の後面を両取付部の前面に当接させた状態で、両第１の補強部間において固定枠に対し固定可能であることを特徴とする。
また、上記目的を達成するために、本発明のうち請求項２に記載の発明は、前面に開口する方体箱状の取付ボックスと、取付ボックスの開口側に取り付けられる矩形フレーム状の固定枠とを有し、壁に埋設された取付ボックスと一体化され、自身の外周部が壁の表面に当接している固定枠に対してインターホン機器が固定されることで、インターホン機器を壁面に設置可能としたインターホン機器の設置構造であって、固定枠の上側の辺部と下側の辺部とにわたり、インターホン機器の本体ケースを固定するための固定部を備えた板状のケース取付部が設けられているとともに、ケース取付部が、両辺部よりも上下方向で内側に、且つ、前後方向で後側に設けられた夫々上下方向へ延びる上下一対の取付部と、前方へ曲げ起こされてなり、各取付部と近い側の辺部とを繋ぐ第１の補強部と、各取付部から後側へ凹む凹状に折り曲げて成形され、取付部同士を連結する第２の補強部とを有しており、インターホン機器が、本体ケースの上下両縁部の後面を両取付部の前面に当接させた状態で、両第１の補強部間において固定枠に対し固定可能であることを特徴とする。
【発明の効果】
【０００７】
本発明によれば、固定枠の左側の辺部と右側の辺部とにわたり（請求項２では上側の辺部と下側の辺部とにわたり）、インターホン機器の本体ケースを固定するための固定部を備えた板状のケース取付部を設けている。また、該ケース取付部に、両辺部よりも左右方向で内側に（請求項２では両辺部よりも上下方向で内側に）、且つ、前後方向で後側に設けられた夫々左右方向へ延びる左右一対の取付部（請求項２では夫々上下方向へ延びる上下一対の取付部）と、前方へ曲げ起こされてなり、各取付部と近い側の辺部とを繋ぐ第１の補強部と、各取付部から後側へ凹む凹状に折り曲げて成形され、取付部同士を連結する第２の補強部とを設けた。そして、インターホン機器を、本体ケースの左右両側縁部（請求項２では本体ケースの上下両側縁部）の後面を両取付部の前面に当接させた状態で、両第１の補強部間において固定枠に対し固定するようにした。したがって、連結部と取付部との前後差だけ、本体ケースが壁内に埋め込まれる格好となり、結果として設置状態にあるインターホン機器の壁面からの突出量を抑えることができる。
また、ケース取付部として、第１の補強部及び第２の補強部を設けているため、ケース取付部の強度が高く変形しにくい。したがって、インターホン機器の壁面への設置後、インターホン機器が壁内へ不必要に沈み込むような事態を防止することができる。
【図面の簡単な説明】
【０００８】
【図１】集合玄関機、固定枠、及び取付ボックスを前側から示した斜視説明図である。
【図２】固定枠を前側から示した斜視説明図である。
【図３】集合玄関機を壁に設置した状態を示した断面説明図である。
【図４】図３中の領域Ａを拡大して示した説明図である。
【発明を実施するための形態】
【０００９】
以下、本発明の一実施形態となる集合玄関機の壁面への設置構造について、図面のもとづき詳細に説明する。
【００１０】
図１は、集合玄関機１、固定枠１２、及び取付ボックス１１を前側から示した斜視説明図である。図２は、固定枠１２を前側から示した斜視説明図である。図３は、集合玄関機１を壁Ｗに設置した状態を示した断面説明図である。図４は、図３中の領域Ａを拡大して示した説明図である。
【００１１】
まず集合玄関機１の構造について説明すると、集合玄関機１は、所謂集合住宅インターホンシステムの一部として使用されるものであって、前側に配置される前ケースと、後側に配置される後ケースとで構成される本体ケース２を有している。そして、本体ケース２の前面上部には、各住戸に設置される住戸端末（図示せず）との間で通話するための通話部４、及び本体ケース２の前方を撮像するためのカメラ部５等が設けられている。一方、本体ケース２の前面下部には、来訪者が居住者を呼び出す際に押し込み操作するテンキーや呼出ボタン等を含んだ操作部７が設けられている。また、本体ケース２の前面略中央には、操作部７での操作内容や住戸端末との間での通話状況を表示する表示部６が設けられている。そして、このような集合玄関機１は、集合住宅の玄関の壁面等に設置されており、来訪者により操作部７が操作されて呼び出す住戸が特定される等すると、対応する住戸の住戸端末を呼び出すとともに、カメラ部５を作動させて来訪者を撮影する。また、住戸端末側での応答操作に応じて、住戸端末との間で通話可能な状態となる。
【００１２】
次に集合玄関機１の壁面への設置構造について説明すると、集合玄関機１は、後述するような取付ボックス１１及び固定枠１２を介して壁面へ設置される。取付ボックス１１は、従来同様に壁内へ埋設されるものであって、上面、下面、背面、及び左右側面を有し、前面に開口する方体箱状で、本体ケース２を収容可能な大きさとされている。また、取付ボックス１１の左右両側面前縁は、左右方向で内側へ折り曲げられており、各折り曲げ部の上部及び下部には、固定枠１２をネジ止めするための丸孔１３、１３が穿設されている。
【００１３】
一方、固定枠１２は、上辺部、下辺部、及び左右両側辺部を有し、中央に開口する金属製の矩形フレーム体である。そして、該固定枠１２は、各辺部を取付ボックス１１の開口縁（上面、下面、及び左右両側面の前縁）に夫々当接させた状態で、取付ボックス１１と一体化可能となっている。また、固定枠１２には、本体ケース２を取り付けるためのケース取付部１４が、中央の開口を左右方向で横切るように、左側辺部と右側辺部とにわたって架設されている。なお、２０は、固定枠１２の左右両側辺部に設けられ、固定枠１２を本体ケースにネジ止めするための取付孔である。
【００１４】
ケース取付部１４は、左右方向へ延びる板状に成形されており、固定枠１２の左右両側辺部から夫々左右方向で内側へ延びる連結部１４ａ、１４ａと、連結部１４ａ、１４ａよりも左右方向で内側に、且つ、前後方向で後側に設けられた夫々左右方向へ延びる左右一対の取付部１４ｃ、１４ｃと、前方へ曲げ起こされてなり、各連結部１４ａと取付部１４ｃとを繋ぐ第１の補強部１４ｂ、１４ｂと、左右の取付部１４ｃ、１４ｃを連結する第２の補強部１４ｄとを一体的に有する。そして、第１の補強部１４ｂ、１４ｂ間の左右方向での距離は、本体ケース２の左右長さと略同じとされており、各第１の補強部１４ｂの左右方向で内縁には、本体ケース２の側縁に設けられた係止爪（図示せず）が係止可能な係止孔１５が設けられている。また、上述したように各取付部１４ｃの方が連結部１４ａよりも後側に設けられているため、各第１の補強部１４ｂにおいて、取付部１４ｃからの曲げ起こし量の方が連結部１４ａからの曲げ起こし量よりも大きくなっている。そして、取付部１４ｃからの曲げ起こし量は、本体ケース２の左右両側縁部における前後方向での厚みと略同じとされている。さらに、各取付部１４ｃの左右方向で内縁には、本体ケース２の側面に設けられた係止凹部（図示せず）に係止可能な係止片１６が、第２の補強部１４ｄから切り起こし状に設けられている。加えて、第２の補強部１４ｄは、各取付部１４ｃの左右方向で内縁から大きく後方へ凹む凹状に折り曲げられてなり、該第２の補強部１４ｄの左右幅は、本体ケース２後部の左右幅よりも広くなっている。
【００１５】
そして、上記取付ボックス１１及び固定枠１２を利用して集合玄関機１を壁面に設置するにあたっては、まず取付ボックス１１と固定枠１２とを一体化した上で、取付ボックス１１を壁Ｗに埋設する。このとき固定枠１２の左右両辺部の外縁が、壁Ｗの表面に当接した状態となる。次に集合玄関機１の本体ケース２後部を第２の補強部１４ｄ内へ嵌め込みつつ、本体ケース２の左右両側縁部の後面を取付部１４ｃ、１４ｃの前面に当接させれば、係止孔１５、１５や係止片１６、１６により本体ケース２が両第１の補強部１４ｂ、１４ｂ間に固定され、集合玄関機１の壁面への設置作業は完了となる。そして、該設置状態にあっては、連結部１４ａと取付部１４ｃとの前後方向での差Δｄ（図４に示す）だけ、本体ケース２が壁Ｗ内に埋め込まれる格好となっており、結果として集合玄関機１の壁Ｗ表面からの突出量が抑えられている。
【００１６】
以上のような構成を有する集合玄関機１の設置構造によれば、固定枠１２に、係止孔１５、１５や係止片１６、１６を備えた板状のケース取付部１４を、中央の開口を左右方向で横切るように、左側辺部と右側辺部とにわたって架設した。また、ケース取付部１４に、固定枠１２の左右両側辺部から夫々左右方向で内側へ延びる連結部１４ａ、１４ａと、連結部１４ａ、１４ａよりも左右方向で内側に、且つ、前後方向で後側に設けられた夫々左右方向へ延びる左右一対の取付部１４ｃ、１４ｃと、前方へ曲げ起こされてなり、各連結部１４ａと取付部１４ｃとを繋ぐ第１の補強部１４ｂ、１４ｂと、左右の取付部１４ｃ、１４ｃを連結する第２の補強部１４ｄとを設けた。そして、左右両辺部の外縁が壁Ｗの表面に当接した状態にある固定枠１２に対し、集合玄関機１の本体ケース２後部を第２の補強部１４ｄ内へ嵌め込みつつ、本体ケース２の左右両側縁部の後面を取付部１４ｃ、１４ｃの前面に当接させることで、係止孔１５、１５や係止片１６、１６により本体ケース２が両第１の補強部１４ｂ、１４ｂ間に固定される、すなわち集合玄関機１が壁面に設置されるようにした。したがって、該設置状態にあっては、連結部１４ａと取付部１４ｃとの前後方向での差Δｄだけ、本体ケース２が壁Ｗ内に埋め込まれる格好となるため、結果として集合玄関機１の壁Ｗ表面からの突出量を抑えることができる。
【００１７】
また、ケース取付部１４に、前方へ曲げ起こされた第１の補強部１４ｂ、１４ｂや、後方へ凹むように折り曲げられた第２の補強部１４ｄを設けている。したがって、ケース取付部１４の強度が高く変形しにくいため、集合玄関機１の壁面への設置後、集合玄関機１が不必要に壁Ｗ内へ沈み込むような事態を効果的に防止することができる。
【００１８】
なお、本発明に係るインターホン機器の設置構造は、インターホン機器の全体的な構成は勿論、取付ボックスや固定枠に係る構成等についても、本発明の趣旨を逸脱しない範囲で必要に応じて適宜変更することができる。
【００１９】
たとえば上記実施形態では集合玄関機の設置について説明しているが、本発明は、インターホン子機等の他のインターホン機器の設置構造としても好適に採用することができる。
また、上記実施形態では、固定枠の左右両側辺部にわたってケース取付部を設けているが、固定枠の上下両側辺部にわたってケース取付部を設けることも可能である。そのような場合には、上下両辺部から夫々上下方向で内側へ延びる連結部の上下方向で内側に、且つ、前後方向で後側に上下一対の取付部を設ければよいし、該取付部に対して、インターホン機器を、その本体ケースの上下両縁部の後面を両取付部の前面に当接させた状態で、取付部の上下両側にある両第１の補強部間において固定枠に対し固定可能とすればよい。
【００２０】
さらに、上記実施形態では、ケース取付部に係り取付部と左右で近い側の辺部とを第１の補強部で繋ぐにあたって、左右方向へ延びる連結部を介しているが、連結部を介することなく、各辺部の内縁から直接前方へ曲げ起こした第１の補強部を設ける等してもよく、連結部の有無については適宜変更可能である。このことは固定枠の上辺部と下辺部とにわたりケース取付部を設ける場合についても同様である。
加えて、上記実施形態では、ケース取付部における取付部に係止孔や係止片を固定部として設けているが、本体ケースをネジ止め可能なネジ止め部を固定部として設けたり、第１の補強部に係止爪等の固定部を設けたりしてもよく、ケース取付部のどこにどのような固定部を設けるかについては適宜設計変更可能である。
【符号の説明】
【００２１】
１・・集合玄関機（インターホン機器）、２・・本体ケース、１１・・取付ボックス、１２・・固定枠、１４・・ケース取付部、１４ａ・・連結部、１４ｂ・・第１の補強部、１４ｃ・・取付部、１４ｄ・・第２の補強部、１５・・係止孔（固定部）、１６・・係止片（固定部）。
【図１】
2020161891.tif 000003
【図２】
2020161891.tif 000004
【図３】
2020161891.tif 000005
【図４】
2020161891.tif 000006